【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
常時入賞可能な第１始動口と、
入賞が容易な開状態と入賞し難い閉状態に変化可能な第２始動口と、
前記第１始動口又は前記第２始動口に入賞することにより取得される当否判定用乱数と、
該当否判定用乱数を保留記憶する保留手段と、
該保留手段は前記第１始動口への入賞により取得された前記当否判定用乱数を予め定められた所定個数まで保留記憶する第１保留手段と、
前記第２始動口への入賞により取得された前記当否判定用乱数を予め定められた所定個数まで保留記憶する第２保留手段とを備え、
該第１保留手段又は該第２保留手段に記憶された前記当否判定用乱数の当否判定を入賞した順に１個ずつ実行する当否判定手段と、
該当否判定手段の結果が当りであると移行する遊技者に有利な大当り遊技状態と、
該大当り遊技状態終了後に、
前記第２始動口の前記開状態である期間を延長する開放延長手段と、
前記当否判定手段による当り判定の確率が高確率状態に移行する高確率状態移行手段とを備えた遊技機において、
前記当否判定手段は前記第１保留手段に係る前記当否判定又は前記第２保留手段に係る前記当否判定のいずれかを優先して行う優先判定手段と、
前記第１始動口又は前記第２始動口への入賞時に、取得した前記当否判定用乱数の仮当否判定を行う第２当否判定手段と、
該第２当否判定手段の結果を報知する仮判定報知手段とを備え、
前記優先判定手段は、前記開放延長手段の作動中は前記第２保留手段にかかる前記当否判定を優先して判定し、前記開放延長手段の非作動時は、前記第１保留手段にかかる前記当否判定を優先して判定し、
該仮判定報知手段は、前記開放延長手段の作動時は前記第２保留手段に係る第２当否判定の結果のみを報知し、未作動時は前記第１保留手段に係る第２当否判定の結果のみを報知することを特徴とした遊技機。
【請求項２】
前記優先判定手段は、前記仮当否判定手段により前記第１保留手段又は前記第２保留手段のいずれかに当りである保留記憶が含まれていると判定された場合は、当りの含まれていない前記保留手段を優先して当否判定することを特徴とした請求項１記載の遊技機。
【請求項３】
前記優先判定手段は、前記仮当否判定手段により前記第１保留手段又は前記第２保留手段のいずれかに当りである保留記憶が含まれていると判定された場合は、当りの含まれる前記保留手段を優先して当否判定することを特徴とした請求項１記載の遊技機。
【手続補正２】
【補正対象書類名】明細書
【補正対象項目名】０００５
【補正方法】変更
【補正の内容】
【０００５】
上記課題を解決するために請求項１記載の遊技機は、
常時入賞可能な第１始動口と、
入賞が容易な開状態と入賞し難い閉状態に変化可能な第２始動口と、
前記第１始動口又は前記第２始動口に入賞することにより取得される当否判定用乱数と、
該当否判定用乱数を保留記憶する保留手段と、
該保留手段は前記第１始動口への入賞により取得された前記当否判定用乱数を予め定められた所定個数まで保留記憶する第１保留手段と、
前記第２始動口への入賞により取得された前記当否判定用乱数を予め定められた所定個数まで保留記憶する第２保留手段とを備え、
該第１保留手段又は該第２保留手段に記憶された前記当否判定用乱数の当否判定を入賞した順に１個ずつ実行する当否判定手段と、
該当否判定手段の結果が当りであると移行する遊技者に有利な大当り遊技状態と、
該大当り遊技状態終了後に、
前記第２始動口の前記開状態である期間を延長する開放延長手段と、
前記当否判定手段による当り判定の確率が高確率状態に移行する高確率状態移行手段とを備えた遊技機において、
前記当否判定手段は前記第１保留手段に係る前記当否判定又は前記第２保留手段に係る前記当否判定のいずれかを優先して行う優先判定手段と、
前記第１始動口又は前記第２始動口への入賞時に、取得した前記当否判定用乱数の仮当否判定を行う第２当否判定手段と、
該第２当否判定手段の結果を報知する仮判定報知手段とを備え、
前記優先判定手段は、前記開放延長手段の作動中は前記第２保留手段にかかる前記当否判定を優先して判定し、前記開放延長手段の非作動時は、前記第１保留手段にかかる前記当否判定を優先して判定し、
該仮判定報知手段は、前記開放延長手段の作動時は前記第２保留手段に係る第２当否判定の結果のみを報知し、未作動時は前記第１保留手段に係る第２当否判定の結果のみを報知することを特徴とした遊技機である。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
上記課題を解決するために請求項２記載の遊技機は、
前記優先判定手段は、前記仮当否判定手段により前記第１保留手段又は前記第２保留手段のいずれかに当りである保留記憶が含まれていると判定された場合は、当りの含まれていない前記保留手段を優先して当否判定することを特徴とした請求項１記載の遊技機である。
【手続補正８】
【補正対象書類名】明細書
【補正対象項目名】００１１
【補正方法】変更
【補正の内容】
【００１１】
上記課題を解決するために請求項３記載の遊技機は、
前記優先判定手段は、前記仮当否判定手段により前記第１保留手段又は前記第２保留手段のいずれかに当りである保留記憶が含まれていると判定された場合は、当りの含まれる前記保留手段を優先して当否判定することを特徴とした請求項１記載の遊技機である。
【手続補正９】
【補正対象書類名】明細書
【補正対象項目名】００１２
【補正方法】変更
【補正の内容】
【００１２】
請求項１記載の発明によれば、開放延長手段の作動時は第２保留手段を優先消化し、未作動時は第１保留手段を優先消化とし、開放延長手段の作動時は第２保留手段のみ仮判定の結果を報知し、未作動時は第１保留手段のみ仮判定の結果を報知するように遊技状態により主に消化される保留手段の先読みのみ行うようにしたので、開放延長手段の作動時に第１保留手段に当りである保留記憶が含まれるかを把握することが不可能となるため、意図的に大当りをストックすることができなくなり、技術力又は知識のある遊技者が有利となるといった事態がなくなり平等とすることができる等、特別図柄が２個あり先読み機能を備えた遊技機における問題点を解決することが可能になる。
また従来のような通常状態時に連続予告を行った場合、通常時は第１特別図柄が優先されているので第１特別図柄における連続予告が第２特別図柄の変動により途切れるという事態がなくなり、開放延長手段が作動すれば第２保留手段が優先的に消化されるので、従来の特別図柄を２個備えた遊技機のように開放延長機能の作動時を遊技者にとって極めて有利な状態にすることができる。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
請求項２記載の発明によれば、当りの含まれていない保留手段を優先的に消化するようにしたため、いずれかの保留手段に当りの保留記憶ができるともう片方の保留手段が優先消化されるようになり、大当りが一個はストックされることになる。このため技術力又は知識のある人だけが有利にならず平等になる。
【手続補正１３】
【補正対象書類名】明細書
【補正対象項目名】００１６
【補正方法】変更
【補正の内容】
【００１６】
請求項３記載の発明によれば、当りの含まれている保留手段を優先的に消化するようにしたため、大当りの含まれる保留手段が必然的に当否判定の対象にされてしまうので技術力又は知識がある遊技者でも大当りをストックしておくことが不可能なため平等になる。